(57)【特許請求の範囲】
【請求項１】
主回路を構成する一対の電極が設けられたケースと、
このケースに嵌合することで前記一対の電極を短絡させて前記主回路をＯＮ状態にするとともに、前記ケースから離脱することで前記主回路をＯＦＦ状態にするプラグと、
リレー回路を構成するスイッチ部材が設けられ、前記スイッチ部材を前記プラグ側に当接させることで前記リレー回路をＯＮ状態にするＯＮ位置と、前記スイッチ部材を前記プラグ側から離間させることで前記リレー回路をＯＦＦ状態にするＯＦＦ位置との間での変位を可能とされた操作部材とを備えてなり、
前記主回路と前記リレー回路が共にＯＮの状態において、前記プラグを前記ケースから離脱して前記主回路をＯＦＦ状態にするのに先立ち、前記操作部材をＯＦＦ位置へ変位させて前記リレー回路をＯＦＦ状態にするようになっているものであって、
前記操作部材のＯＮ位置からＯＦＦ位置への変位方向が、前記プラグの前記ケースからの離脱方向と異なる方向に設定され、
前記プラグには、そのプラグを前記ケースから離脱させる際に摘むためのグリップ部が形成されており、
前記操作部材には、その操作部材がＯＮ位置に変位した状態では前記グリップ部を取り囲むことでそのグリップ部に対する摘み動作を規制し、且つその操作部材がＯＦＦ位置へ変位した状態では前記グリップ部に対する摘み動作を許容する保護部が設けられていることを特徴とするブレーカ装置。
【請求項２】
前記操作部材には、その操作部材がＯＮ位置に変位した状態では前記プラグに係止することでそのプラグの前記ケースからの離脱を規制し、且つその操作部材がＯＦＦ位置へ変位することで前記プラグの前記ケースからの離脱を許容するストッパが設けられていることを特徴とする請求項１記載のブレーカ装置。
【請求項３】
前記ケースには、そのケース内に収容したヒューズを覆い隠すためのヒューズカバーが設けられており、このヒューズカバーが前記操作部材を兼ねていることを特徴とする請求項１又は請求項２に記載のブレーカ装置。
【請求項４】
前記ヒューズカバーが、前記ケースに対し、ＯＦＦ位置から更にＯＮ位置とは反対側の着脱位置へ変位可能となっており、
前記ヒューズカバーと前記ケースに、前記ヒューズカバーがＯＮ位置とＯＦＦ位置との間に位置するときにはそのヒューズカバーの前記ケースからの離脱を規制し、且つ前記ヒューズカバーが着脱位置へ変位したときにそのヒューズカバーの前記ケースからの離脱を許容する着脱規制手段を設け、
前記ケースに、前記ヒューズカバーがＯＦＦ位置から着脱位置へ遊動することを規制可能な遊動規制部を設けたことを特徴とする請求項３記載のブレーカ装置。
【請求項５】
前記ヒューズカバーと前記プラグに、前記プラグが前記ケースに嵌合している状態では前記ヒューズカバーがＯＮ位置と着脱位置との間のいずれに位置していてもそのヒューズカバーが前記ケースから離脱することを規制し、且つ前記プラグが前記ケースから離脱した状態でのみ前記ヒューズカバーの前記ケースからの離脱を許容する係止手段を設けたことを特徴とする請求項４記載のブレーカ装置。
【請求項６】
前記スイッチ部材を一対の端子金具によって構成し、前記プラグに、ＯＮ位置に変位したときに前記一対の端子金具を短絡させる短絡端子を設けたことを特徴とする請求項１乃至請求項５のいずれかに記載のブレーカ装置。
【発明の詳細な説明】
【０００１】
【発明の属する技術分野】
本発明は、ブレーカ装置に関するものである。
【０００２】
【従来の技術】
従来のブレーカ装置について説明すると、プラグを上からケースに取り付けると、ケース内の一対の電極がプラグの短絡端子により短絡されて主回路がＯＮ状態となり、さらに、プラグに設けたレバーを倒すと、そのレバーが、ケースに設けたマイクロスイッチをＯＮにすることによってリレー回路がＯＮ状態となる。この状態から、レバーを起こすと、マイクロスイッチがＯＦＦになってリレー回路がＯＦＦ状態になり、さらに、起こしたレバーを摘んで持ち上げつつプラグをケースから抜くと、短絡端子による両電極の短絡が解除されるため主回路がＯＦＦ状態となるのである。
【０００３】
【発明が解決しようとする課題】
プラグを抜いて主回路をＯＦＦにする際には、予め、レバーを起こす操作によってリレー回路をＯＦＦ状態とすることによって、電極と短絡端子との間にアークが発生しないようになっている。ところが、マイクロスイッチがＯＦＦになってからリレー回路が完全にＯＦＦ状態になるまでにはタイムラグ（約１５０ミリ秒程度）があることから、もし、リレー回路が完全にＯＦＦならないうちにプラグが抜かれて主回路がＯＦＦに切り替わった場合には、電極と短絡端子との間にアークが発生する虞がある。
【０００４】
ここで、上記従来のブレーカ装置をみると、レバーを抜取り可能な姿勢へ起こす操作（即ち、リレー回路を開くための操作）と、それに引き続いてプラグを抜き取る操作（即ち、主回路を開くための操作）との２つの操作は、レバーに指を引っ掛けたままで一連の操作として行うことができるようになっており、しかも、この２つの操作における指の移動方向が概ね同じ方向（上方）となっている。そのため、この２つの操作を極めて短い時間で一気に行うことが可能である。そして、この一気操作において、マイクロスイッチがＯＦＦになってから主回路がＯＦＦになるまでの時間がリレー回路の上記タイムラグよりも短い場合には、リレー回路が完全にＯＦＦ状態にならないうちに主回路がＯＦＦ状態に切り替わってアークが発生することになる。
【０００５】
本願発明は上記事情に鑑みて創案され、リレー回路が完全にＯＦＦ状態にならないうちに主回路がＯＦＦ状態に切り替わることを防止することを目的としている。
【０００６】
【課題を解決するための手段】
請求項１の発明は、主回路を構成する一対の電極が設けられたケースと、このケースに嵌合することで前記一対の電極を短絡させて前記主回路をＯＮ状態にするとともに、前記ケースから離脱することで前記主回路をＯＦＦ状態にするプラグと、リレー回路を構成するスイッチ部材が設けられ、前記スイッチ部材を前記プラグ側に当接させることで前記リレー回路をＯＮ状態にするＯＮ位置と、前記スイッチ部材を前記プラグ側から離間させることで前記リレー回路をＯＦＦ状態にするＯＦＦ位置との間での変位を可能とされた操作部材とを備えてなり、前記主回路と前記リレー回路が共にＯＮの状態において、前記プラグを前記ケースから離脱して前記主回路をＯＦＦ状態にするのに先立ち、前記操作部材をＯＦＦ位置へ変位させて前記リレー回路をＯＦＦ状態にするようになっているものであって、前記操作部材のＯＮ位置からＯＦＦ位置への変位方向が、前記プラグの前記ケースからの離脱方向と異なる方向に設定され、前記プラグには、そのプラグを前記ケースから離脱させる際に摘むためのグリップ部が形成されており、前記操作部材には、その操作部材がＯＮ位置に変位した状態では前記グリップ部を取り囲むことでそのグリップ部に対する摘み動作を規制し、且つその操作部材がＯＦＦ位置へ変位した状態では前記グリップ部に対する摘み動作を許容する保護部が設けられている構成とした。
【０００７】
請求項２の発明は、請求項１の発明において、前記操作部材には、その操作部材がＯＮ位置に変位した状態では前記プラグに係止することでそのプラグの前記ケースからの離脱を規制し、且つその操作部材がＯＦＦ位置へ変位することで前記プラグの前記ケースからの離脱を許容するストッパが設けられている構成とした。
【０００８】
請求項３の発明は、請求項１又は請求項２の発明において、前記ケースには、そのケース内に収容したヒューズを覆い隠すためのヒューズカバーが設けられており、このヒューズカバーが前記操作部材を兼ねている構成としている。
請求項４の発明は、請求項３の発明において、前記ヒューズカバーが、前記ケースに対し、ＯＦＦ位置から更にＯＮ位置とは反対側の着脱位置へ変位可能となっており、前記ヒューズカバーと前記ケースに、前記ヒューズカバーがＯＮ位置とＯＦＦ位置との間に位置するときにはそのヒューズカバーの前記ケースからの離脱を規制し、且つ前記ヒューズカバーが着脱位置へ変位したときにそのヒューズカバーの前記ケースからの離脱を許容する着脱規制手段を設け、前記ケースに、前記ヒューズカバーがＯＦＦ位置から着脱位置へ遊動することを規制可能な遊動規制部を設けた構成とした。
【０００９】
請求項５の発明は、請求項４の発明において、前記ヒューズカバーと前記プラグに、前記プラグが前記ケースに嵌合している状態では前記ヒューズカバーがＯＮ位置と着脱位置との間のいずれに位置していてもそのヒューズカバーが前記ケースから離脱することを規制し、且つ前記プラグが前記ケースから離脱した状態でのみ前記ヒューズカバーの前記ケースからの離脱を許容する係止手段を設けた構成とした。
請求項６の発明は、請求項１乃至請求項５のいずれかの発明において、前記スイッチ部材を一対の端子金具によって構成し、前記プラグに、ＯＮ位置に変位したときに前記一対の端子金具を短絡させる短絡端子を設けた構成とした。
【００１０】
【発明の作用及び効果】
［請求項１の発明］
操作部材のＯＦＦ位置への操作方向と、その後のプラグの離脱操作の方向とが互いに異なるので、操作部材の操作とプラグの操作との間の時間差が大きい。即ち、操作部材の操作によるリレー回路ＯＦＦの動作とその後のプラグの操作による主回路ＯＦＦの動作のタイミングが大きくずれる。これにより、リレー回路が完全にＯＦＦ状態にならないうちに主回路がＯＦＦ状態に切り替わることが防止される。
また、保護部を設けたので、操作部材がＯＮ位置にあってリレー回路がＯＮ状態であるにも拘わらずグリップ部を摘んでプラグを離脱する操作、即ち主回路をＯＦＦ状態にする操作が行われてしまう、ということが確実に防止される。
［請求項２の発明］
ストッパを設けたので、操作部材がＯＮ位置にあってリレー回路がＯＮ状態であるにも拘わらずプラグが離脱されて主回路がＯＦＦ状態になってしまう、ということが確実に防止される。
【００１１】
［請求項３の発明］
ヒューズカバーと操作部材とを兼用したので、ヒューズカバーと操作部材を別体の部品とする場合に比べて、部品点数が少なくて済む。
【００１２】
［請求項４の発明］
ヒューズカバーをＯＮ位置からＯＦＦ側へ向けて変位させると、ヒューズカバーがＯＦＦ位置に達したところで遊動規制部に係止し、それ以上の着脱位置側への変位が規制されるため、ヒューズカバーがケースから離脱し得る着脱位置まで不用意に変位してしまう虞がない。意図的にヒューズカバーをケースから離脱させる場合には、遊動規制部による係止力を上回る操作力を付与することによってヒューズカバーを着脱位置に変位させればよい。
［請求項５の発明］
係止手段を設けたので、プラグをケースから離脱して主回路をＯＦＦ状態に切り替えないうちは、ヒューズカバー（操作部材）がケースから外されてヒューズが露出する、ということが防止される。
［請求項６の発明］
スイッチ部材及びそのスイッチ部材をＯＮ・ＯＦＦする手段として、端子金具を用いたので、スイッチ部材としてマイクロスイッチ等の複雑な機器を用いるのに比べると、コストが低く抑えられる。
【００１３】
【発明の実施の形態】
［実施形態１］
以下、本発明を具体化した実施形態１を図１乃至図７を参照して説明する。
本実施形態のブレーカ装置は、合成樹脂製のケース１０と、このケース１０に嵌合される合成樹脂製のプラグ２０と、ヒューズカバーを兼ねる合成樹脂製の操作部材３０とを備えて構成されている。尚、以下の説明において、前後方向及び左右方向については、図１における右斜め上方を前方、右斜め下方を右方ということにする。
【００１４】
ケース１０は、その上面が開放されているとともに、内部が低い仕切り部１１によって前側の嵌合室１２と後側のヒューズ収容室１３とに仕切られている。嵌合室１２内には、支柱１４が立設され、支柱１４の前後両面には、Ｌ字形の板状をなす一対の電極１５が固定して設けられている。この一対の電極１５は、主回路（図示せず）を構成するものであって、プラグ２０が支柱１４に嵌合されない状態では、この一対の電極１５が互いに離間した非導通状態となっており、これにより、主回路がＯＦＦ状態となっている。また、嵌合室１２の前端はケース１０の外部へ開放され、この開放面における左右両側縁の下端部には、一対の低い位置決め部１６が形成されている。
【００１５】
また、ケース１０の左右両側壁部の外面には、前後方向に延びる左右一対の抜止め部１７（本発明の構成要件である着脱規制手段）が形成されている。各抜止め部１７には、夫々、上下方向に貫通するとともに前後方向に延びるガイド溝１８が前後一対ずつ形成されている。また、各ガイド溝１８の後端部には、夫々、着脱用逃がし部１９が形成されている。さらに、抜止め部１７の下面には、ガイド溝１８の前端より少し後方位置から着脱用逃がし部１９の前端より少し前方の位置に亘る突出部１７Ａが形成され、その突出部１７Ａの前端面がテーパ状に傾斜したＯＮ位置用係止面１７Ｂとされ、突出部１７Ａの後端面がテーパ状に傾斜したＯＦＦ位置用係止面１７Ｃとされている。さらに、抜止め部１７の下面における着脱用逃がし部１９の前端位置（即ち、ＯＦＦ位置用係止面１７Ｂよりも後方の位置）には、三角形状、即ち前後両面がテーパ状に傾斜した突起状をなす遊動規制部１７Ｄが形成されている。尚、遊動規制部１７Ｄの形状は、三角形に限らず、台形、方形、半円形などの他の形状としてもよい。
プラグ２０は、下面開放の方形箱状をなし、ケース１０に嵌合する際には、嵌合室１２内に上から落とし込むように収容されるとともに、電極１５を支持している支柱１４に対して被られるようになっている。嵌合されたプラグ２０は、その仕切り部１１と位置決め部１６とによってケース１０に対する前後方向への遊動を規制されるとともに、嵌合室１２の左右両側壁によって左右方向への遊動を規制された状態に位置決めされる。
【００１６】
プラグ２０の内部には、前後一対の弾性脚部２２を有する金属製の短絡部材２１が固定されている。プラグ２０がケース１０（支柱１４）に正規嵌合された状態では、短絡部材２１の一対の弾性脚部２２が支柱１４の一対の電極１５に対して弾性的に当接し、これによって一対の電極１５が短絡部材２１によって電気的導通可能な状態となり、もって、主回路がＯＮ状態となる。また、プラグ２０をケース１０（嵌合室１２）から上方へ離脱させると、短絡部材２１による一対の電極１５の短絡が解除されるため、主回路はＯＦＦ状態となる。
【００１７】
プラグ２０の上面には、前後方向に沿った壁状をなすグリップ部２３が立設され、このグリップ部２３の上端縁には前後方向に沿って左右両側方へ張り出す指掛け部２４が形成されている。同じくプラグ２０の上面には短絡端子２５が固定されている。短絡端子２５の平面形状はグリップ部２３を囲むような概ねＵ字形をなし、プラグ２０の前端縁及び左右両側縁に沿って配されている。かかる短絡端子２５の左右一対の接触部２５Ａは、後述する操作部材３０に設けた一対の端子金具３５（本発明の構成要件であるスイッチ部材）に対して同時に接触し得るようになっている。さらに、プラグ２０の左右両側面には、前後方向（操作部材３０のＯＮ位置とＯＦＦ位置との間の変位方向と平行）に延びる係止段部２６（本発明の構成要件である係止手段）が形成されている。この係止段部２６は、下方、即ちケース１０に対して操作部材３０を離脱させる方向とは反対方向に面している。
【００１８】
操作部材３０は、上記したようにヒューズカバーを兼用するものであり、ケース１０に対し、ヒューズ３１が収容されているヒューズ収容室１３の上面の開口を覆うように取り付けられる。操作部材３０は、ケース１０の上面に沿った基板部３１と、この基板部３１の左右両側縁からケース１０の左右両側壁の外面に沿うように下方へ延出する一対の側板部３２と、基板部３１の後端縁からケース１０の後面壁の外面に沿うように下方へ延出する後板部３３とを有する。かかる操作部材３０は、ケース１０に対し前後方向への変位を可能とされており、その変位領域のうち、前端がＯＮ位置、後端が着脱位置、ＯＮ位置と着脱位置との間がＯＦＦ位置とされている。
【００１９】
左右両側板部３２の下端縁には、夫々、前後一対ずつの係止爪３４（本発明の構成要件である着脱規制手段）が形成されている。この係止爪３４は、ケース１０の抜止め部１７のガイド溝１８によって前後方向の移動可能に案内されており、操作部材３０がＯＮ位置にあるときには、係止爪３４が、ガイド溝１８の前端とＯＮ位置用係止面１７Ｂとの間で前後方向に挟まれ、これにより、ケース１０に対する操作部材３０の遊動が規制される。また、操作部材３０がＯＦＦ位置にある状態では、係止爪３４がＯＦＦ位置用係止面１７Ｃと遊動規制部１７Ｄとの間で前後方向に挟まれることにより、ケース１０に対する操作部材３０の前後方向の遊動が規制される。さらに、操作部材３０が着脱位置にある状態では、係止爪３４が遊動規制部１７Ｄと着脱用逃がし部１９の後端との間で挟まれることにより、ケース１０に対する操作部材３０の前後方向への遊動が規制される。また、操作部材３０がＯＮ位置とＯＦＦ位置との間のいずれに位置していても、係止爪３４が抜止め部１７の下面に係止することにより、操作部材３０のケース１０かせり上方への離脱が基板接続部される。また、操作部材３０が着脱位置に位置した状態では、係止爪３４が着脱用逃がし部１９と対応するので、操作部材３０のケースからの上方への離脱が許容されるようになっている。
【００２０】
基板部３１の前端部には、下方へ膨らむように弧状に湾曲した形状をなす左右一対の端子金具３５が、その後端部を基板部３１の取付部３６に保持されるとともに、基板部３１の窓孔３７内に収容された形態で取り付けられている。窓孔３７内に収容された各端子金具３５は、夫々、自由状態においては基板部３１の下面よりも下方へ突出することで、短絡端子２５との接触に備えている。また、基板部３１の後端部上面に形成したハウジング部３８内には図示しない端子が収容されており、その各端子に基端部を接続させた電線３９の先端部が、夫々、端子金具３５の後端部に接続されている。この一対の端子金具３５は、リレー回路（図示せず）を構成するものであって、この一対の端子金具３５が短絡していない状態では、リレー回路がＯＦＦ状態となる。
【００２１】
また、基板部３１の前端部における一対の端子金具３５の間には、基板部３１の前端縁に開口する方形の切欠部４０が形成され、この切欠部４０の概ねＵ字形をなす切欠縁からは、上方へ壁状に立ち上がる形態の保護部４１が形成されている。プラグ２０がケース１０に正規嵌合されるとともに操作部材３０がＯＮ位置に変位した状態では、保護部４１がグリップ部２３を後方及び左右両側方から取り囲むようになっている。また、操作部材３０がＯＦＦ位置へ変位すると、保護部４１がグリップ部２３を剥き出しにするように後方へ退避して、グリップ部２３に対する摘み動作が可能となる。
【００２２】
また、基板部３１の前端部における切欠部４０の左右両側の部分は、一対のストッパ４２となっている。プラグ２０がケース１０に正規嵌合されるとともに操作部材３０がＯＮ位置に変位した状態では、ストッパ４２が、プラグ２０の上面を押さえ込む形態で対応する。また、操作部材３０がＯＦＦ位置へ変位すると、ストッパ４２がプラグ２０に対して後方へ退避してプラグ２０の上方への変位を許容するようになっている。尚、上記端子金具３５は、このストッパ４２内に配されている。
【００２３】
また、基板部３１の下面には、その基板部３１の下面との間に隙間を空け、且つ前方へ片持ち状に延出する左右一対の係止片４３（本発明の構成要件である係止手段）が形成されている。プラグ２０がケース１０に正規嵌合している状態では、操作部材３０がＯＮ位置と着脱位置との間のいずれの位置（即ち、操作部材３０の変位前領域におけるいずれの位置）にあっても、必ず、係止片４３がプラグ２０の係止段部２６に対して下から係止するようになっている。尚、この係止片４３は、ケース１０の左右の両側壁部の内面とプラグ２０の外側面との間に挟まれるようになっている。
【００２４】
［本実施形態の作用］
本実施形態のブレーカ装置の組付に際しては、まず、ケース１０に操作部材３０を取り付ける。即ち、操作部材３０を上からケース１０に接近させて、係止爪３４を抜止め部１７の着脱用逃がし部１９に貫通させるとともに、操作部材３０の基板部３１をケース１０の上端に当接させる。この状態では、操作部材３０が着脱位置（図７を参照）にあり、係止爪３４と着脱用規制部１７Ｄとの係止により、操作部材３０がケース１０に対して相対的に前方（ＯＦＦ位置側）へ遊動しないようになっている。尚、このとき、係止片４３はその前端部のみを嵌合室１２内へ突出させるように臨んでいる。
かかる状態から操作部材３０に、係止爪３４と遊動規制部１７Ｄとの係止力を上回る操作力を付与すると、抜止め部１７又は係止爪３４の弾性撓みを伴いつつ、係止爪３４が遊動規制部１７Ｄを乗り越え、操作部材３０はＯＦＦ位置（図６を参照）へ変位する。この状態では、係止爪３４が抜止め部１７に対して下方から係止しているので、操作部材３０がケース１に対して上方へ離脱することはない。また、ストッパ４２と保護部４１は嵌合室１２よりも後方（即ち、プラグ２０と干渉しない位置）へ退避している。
【００２５】
次に、グリップ部２３を指で摘み、プラグ２０をケース１０に取り付ける。取り付けに際しては、プラグ２０の前後左右の向きを決めて上から嵌合室１２内に落としこむ。すると、図３に示すように、プラグ２０内の短絡部材２１により一対の電極１５が短絡状態となり、主回路がＯＮ状態となる。プラグ２０を嵌合した後は、操作部材３０に係止爪３４とＯＦＦ位置用係止面１７Ｃとの係止力を上回る操作力を付与すると、抜止め部１７又は係止爪３４が弾性撓みするとともに係止爪３４が突出部１７Ａの下面に摺接しつつ、操作部材３０が前方へスライドし、ＯＮ位置に変位する。この状態では、係止爪３４がＯＮ位置用係止面１７Ｂとの係止により、ＯＦＦ位置側への変位が規制されている。そして、操作部材３０がＯＮ位置に変位すると、図２及び図５に示すように、操作部材３０の一対の端子金具３５が短絡端子２５の一対の接触部２５Ａに対して上から弾性的に当接し、両端子金具３５が短絡端子２５によって短絡されて、リレー回路がＯＮ状態となる。以上によりブレーカ装置の組付が完了し、主回路とリレー回路の双方がＯＮ状態となる。
【００２６】
尚、操作部材３０をＯＮ位置へ変位させる際に、プラグ２０が半嵌合状態（正規嵌合状態よりも上に浮いた状態）のままであると、基板部３１（ストッパ４２）の前端面がプラグ２０の後端面に突き当たって操作部材３０のＯＮ位置への変位が規制される。したがって、操作部材３０のＯＦＦ位置からＯＮ位置への移動の可否に基づいて、プラグ２０の嵌合状態を検知することができる。
操作部材３０がＯＮ位置へ変位した状態では、係止爪３４が抜止め部１７に対して下から係止するので、操作部材３０がケース１０に対して上方へ離脱することが規制される。そして、この上方変位を規制された操作部材３０のストッパ４２がプラグ２０の上面に当接することにより、プラグ２０は、ケース１０に対して上方へ離脱することを規制され、正規嵌合状態に保持される。さらに、グリップ部２３の左右両側近傍には保護部４１が立設するようになるので、グリップ部２３の上端の指掛け部２４に指を掛けることができなくなる。このように、操作部材３０がＯＮ位置にある状態では、グリップ部２３を摘んでプラグ２０を持ち上げる操作（ケース１０から離脱させる操作）を行うことはできない。即ち、リレー回路がＯＮ状態のままで主回路がＯＦＦ状態に切り替わる虞はない。
【００２７】
この状態から、プラグ２０をケース１０から外して主回路をＯＦＦ状態に切り替える際には、操作部材３０に係止爪３４とＯＮ位置用係止面との係止力を上回る操作力を付与すると、抜止め部１７又は係止爪３４が弾性撓みするとともに係止爪３４が突出部１７Ａの下面に摺接しつつ、操作部材３０がＯＦＦ位置へ変位する。すると、一対の端子金具３５が短絡端子２５に対して後方へ外れるため、両端子金具３５の短絡が解除されてリレー回路をＯＦＦ状態に切り替わる。この操作部材３０のＯＦＦ位置への変位に伴い、ストッパ４２が後方へ退避してプラグ２０の上方への変位が許容されるとともに、保護部４１が後方へ退避してグリップ部２３が剥き出しの状態となる。あとは、グリップ部２３を摘んでプラグ２０を持ち上げればよい。プラグ２０を持ち上げてケース１０から離脱させると、主回路がＯＦＦ状態に切り替わる。
【００２８】
また、操作部材３０がＯＦＦ位置へ変位した状態では、係止爪３４がＯＦＦ位置用係止面１７Ｃに係止することによってＯＮ位置側への遊動が規制されるとともに、遊動規制部１７Ｄへの係止により着脱位置側への遊動が規制される。また、係止爪３４が抜止め部１７に対して下方から係止するので、操作部材３０のケースからの上方への離脱も規制されている。
このＯＦＦ位置にある状態から、操作部材３０に係止爪３４と遊動規制部１７Ｄとの係止力を上回る操作力を付与すると、抜止め部１７又は係止爪３４の弾性撓みを伴いつつ係止爪３４が遊動規制部１７Ｄを乗り越え、これにより操作部材３０が着脱位置に変位する。
この着脱位置にある状態では、係止爪３４が抜止め部１７の着脱用逃がし部１９と対応することになって、係止爪３４と抜止め部１７との係止状態が解除されるため、この係止爪３４と抜止め部１７との関係に限れば、操作部材３０がケース１０に対して上方へ変位し得るようになる。しかしながら、操作部材３０が着脱位置に変位しただけでは、正規嵌合状態にあるプラグ２０の係止段部２６に対して操作部材３０の係止片４３が下から係止されているので、この係止片４３と係止段部２６との係止により、プラグ２０に対する操作部材３０の相対的な上動変位は規制される。したがって、プラグ２０を離脱して主回路をＯＦＦ状態に切り替えない限り、操作部材３０がケース１０から外れてヒューズ３１が剥き出しの状態になる虞はない。
【００２９】
［実施形態の効果］
本実施形態では、操作部材３０のＯＦＦ位置からＯＦＦ位置への操作方向が後方であるのに対し、その後のプラグ２０をケース１０から離脱させる方向が上方となっている。即ち、操作部材３０の操作方向とプラグ２０の操作方向が互いに直角をなす方向に設定されているので、操作部材３０の操作とプラグ２０の操作との間の時間差が大きくなる。即ち、操作部材３０の操作によるリレー回路ＯＦＦの動作とその後のプラグ２０の操作による主回路ＯＦＦの動作のタイミングが大きくずれるのであって、これにより、リレー回路が完全にＯＦＦ状態にならないうちに主回路がＯＦＦ状態に切り替わることが防止される。
【００３０】
操作部材３０には、操作部材３０がＯＮ位置に変位した状態ではプラグ２０に係止することでそのプラグ２０のケース１０からの離脱を規制し、且つ操作部材３０がＯＦＦ位置へ変位することでプラグ２０のケース１０からの離脱を許容するストッパ４２を設けたので、操作部材３０がＯＮ位置にあってリレー回路がＯＮ状態であるにも拘わらずプラグ２０が離脱されて主回路がＯＦＦ状態になってしまう、ということが確実に防止される。
【００３１】
操作部材３０に、操作部材３０がＯＮ位置に変位した状態ではグリップ部２３を取り囲むことでそのグリップ部２３に対する摘み動作を規制し、且つ操作部材３０がＯＦＦ位置へ変位した状態ではグリップ部２３に対する摘み動作を許容する保護部４１を設けたので、操作部材３０がＯＮ位置にあってリレー回路がＯＮ状態であるにも拘わらずグリップ部２３を摘んでプラグ２０を離脱する操作、即ち主回路をＯＦＦ状態にする操作が行われてしまう、ということが確実に防止される。
【００３２】
操作部材３０は、ケース１０内に収容したヒューズ３１を覆い隠すためのヒューズカバーを兼ねているので、ヒューズカバーと操作部材を別体の部品とする場合に比べて、部品点数が少なくて済んでいる。
プラグ２０がケース１０に嵌合している状態では操作部材３０がＯＮ位置と着脱位置との間のいずれに位置していてもその操作部材３０がケース１０から離脱することを規制し、且つプラグ２０がケース１０から離脱した状態でのみ操作部材３０のケース１０からの離脱を許容する係止手段（係止片４３及び係止段部２６）を設けたので、プラグ２０をケース１０から離脱して主回路をＯＦＦ状態に切り替えないうちは、操作部材３０（ヒューズカバー）がケース１０から外されてヒューズが露出する、ということがないようになっている。
【００３３】
リレー回路をＯＮ・ＯＦＦする手段として、単なる金属材によって形成された端子金具３５と短絡端子２５を用いたので、スイッチ部材としてマイクロスイッチ等の複雑な機器を用いるのに比べると、コストが低く抑えられている。
操作部材３０をＯＮ位置からＯＦＦ側へ向けて変位させると、操作部材３０がＯＦＦ位置に達したところで遊動規制部１７Ｄに係止し、それ以上の着脱位置側への変位が規制されるため、操作部材３０がケース１０から離脱し得る着脱位置まで不用意に変位してしまう虞がない。また、意図的に操作部材３０をケース１０から離脱させる場合には、遊動規制部１７Ｄによる係止力を上回る操作力を付与することによって操作部材３０を着脱位置に変位させることができる。
【００３４】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では操作部材がＯＮ位置とＯＦＦ位置との間で直線的に平行移動するようにしたが、本発明によれば、操作部材の変位形態は、直線的な平行移動に限らず、回転移動や、揺動変位等とすることもできる。
（２）上記実施形態では操作部材の移動方向をプラグの外し操作方向に対して直角な方向としたが、本発明によれば、操作部材の移動方向をプラグの離脱方向に対して斜め方向とすることもできる。
【００３５】
（３）上記実施形態ではスイッチ部材を端子金具で構成したが、本発明によれば、スイッチ部材としてマイクロスイッチ等の他のスイッチ手段を用いることもできる。
（４）上記実施形態ではヒューズカバーを操作部材として用いたが、本発明によれば、操作部材をヒューズカバーとは別体の部品としてもよい。
【図面の簡単な説明】
【図１】実施形態１の分解状態の斜視図
【図２】プラグをケースに嵌合するとともに操作部材をＯＮ位置に変位させた状態を示す断面図
【図３】操作部材をＯＦＦ位置へ変位させた状態を示す部分断面図
【図４】操作部材をＯＦＦ位置へ変位させるとともにプラグをケースから離脱した状態を示す部分断面図
【図５】プラグをケースに嵌合するとともに操作部材をＯＮ位置に変位させた状態を示す平面図
【図６】操作部材をＯＦＦ位置へ変位させた状態を示す平面図
【図７】操作部材を着脱位置へ変位させた状態を示す平面図
【図８】図５のＸ−Ｘ線断面図
【符号の説明】
１０…ケース
１５…電極
１７…抜止め部（着脱規制手段）
１７Ｃ…遊動規制部
２０…プラグ
２３…グリップ部
２５…短絡端子
２６…係止段部（係止手段）
３０…操作部材（ヒューズカバー）
３１…ヒューズ
３４…係止爪（着脱規制手段）
３５…端子金具（スイッチ部材）
４１…保護部
４２…ストッパ
４３…係止片（係止手段）
【図１】
0003964143.tif 000002
【図２】
0003964143.tif 000003
【図３】
0003964143.tif 000004
【図４】
0003964143.tif 000005
【図５】
0003964143.tif 000006
【図６】
0003964143.tif 000007
【図７】
0003964143.tif 000008
【図８】
0003964143.tif 000009